(57)【要約】 【課題】観察方法の切換え時の光軸上に対する素子の挿脱操作を１回でも少ない回数で行える操作性のよい顕微鏡を提供する。【解決手段】コンデンサレンズ５Ｅにおいて、ターレット２４にはＤＩＣプリズム２０とＲＣスリット２１のみを搭載し、照明光軸Ｌ１上の位置でその上方に、ＤＩＣ観察用ポラライザ２３とＲＣ観察用ポラライザ２２との機能を共用する１個の共用ポラライザ３４を配置させたものである。この共用ポラライザ３４は、モータ４３を利用した電動制御で自動的に、ＲＣ観察用ポラライザ２２用の第１の振動方向の位置（角度）とＤＩＣ観察用ポラライザ２３用の第２の振動方向の位置（角度）とを記憶させ、記憶させた第１または第２の振動方向の位置を選択的に再現保持可能に構成されている。【選択図】  図１７
2012208523.tif 000002
【特許請求の範囲】
【請求項１】
照明光路中に配置されて、観察方法を切換えるために少なくとも1個の光学素子を照明光軸上に挿脱可能なコンデンサレンズと、
前記光学素子の照明光軸上への挿脱とは独立して照明光軸上に配置されて第1の偏光板と第2の偏光板とを共用し、前記第1の偏光板用の第1の振動方向の位置と前記第2の偏光板用の第2の振動方向の位置とを記憶させ、記憶させた第1または第2の振動方向の位置を選択的に再現保持可能な偏光板と、
を備えることを特徴とする顕微鏡。
【請求項２】
記憶させた前記偏光板の第1または第2の振動方向の位置を選択的に再現保持する、回転角度の検出可能なモータを備えることを特徴とする請求項1に記載の顕微鏡。
【請求項３】
前記光学素子は、その一部に第3の偏光板が配置されたレリーフコントラスト用スリットであり、
前記第1の偏光板は、レリーフコントラスト用偏光板であり、
前記第2の偏光板は、微分干渉用偏光板または偏光観察用偏光板であることを特徴とする請求項1に記載の顕微鏡。
【請求項４】
観察光軸上に固定的に配置された微分干渉用または偏光観察用の第4の偏光板を備え、
前記第1の振動方向と該第4の偏光板の振動方向がほぼ一致していることを特徴とする請求項3に記載の顕微鏡。
【請求項５】
観察光軸上に固定的に配置された微分干渉用または偏光観察用の第4の偏光板を備え、
前記第2の振動方向と該第4の偏光板の振動方向がほぼクロスニコルの状態であることを特徴とする請求項3に記載の顕微鏡。
【請求項６】
微分干渉用または偏光観察用の第4の偏光板と、微分干渉用プリズムを観察光軸上に固定的に配置したことを特徴とする請求項3に記載の顕微鏡。
【発明の詳細な説明】
【技術分野】
【０００１】
本発明は、観察方法の切換え可能な顕微鏡、特に、レリーフコントラスト（ＲＣ）観察法と、微分干渉（ＤＩＣ）観察法または偏光観察法との間で観察方法の切換え可能な顕微鏡に関するものである。
【背景技術】
【０００２】
従来から、１台の顕微鏡で、複数の観察方法の切換え可能な顕微鏡が提案・実施されている。
【０００３】
ここで、図３２〜図３７を参照して、観察方法の切換え可能な従来の顕微鏡について説明する。図３２は、従来の顕微鏡の全体構成例を示す概略側面図であり、図３３は、図３２中のコンデンサレンズ部分を抽出し拡大して示す概略側面図であり、図３４は、図３３中のＲＣスリット部分を矢印Ｘ方向から見た平面図であり、図３５は、図３３中のスライダ部分の平面図であり、図３６は、図３２中に示すモジュレータの平面図であり、図３７は、ＲＣスリットと位置関係を対応付けて示すモジュレータの平面図である。
【０００４】
なお、レリーフコントラスト（ＲＣ）とは、例えば特許文献１に示される位相物体観察用顕微鏡システムにおいて、ロバートホフマンが発明した、一般に「ホフマンモジュレーションコントラスト」と呼ばれる観察方法の一種であり、他にも、ホフマンモジュレーションコントラストをベースとした何種類かの観察方法が発明されている。また、観察方法の名称も、ホフマンモジュレーションコントラスト、レリーフコントラスト以外に、モジュレーションコントラスト、ＩＭＣ、ＬＭＣ、ＲＣ、バレルコントラストなどと称される場合もある。本明細書中では、適宜、レリーフコントラスト観察の略称である「ＲＣ観察」と称するものとする。
【０００５】
まず、図３２に示す顕微鏡１００の全体構成例を示す概略側面図において、照明系と観察系の基本的な構成について説明する。光源２から出射した照明光は、照明光軸Ｌ１上に配設された照明系レンズ３、ミラー４、コンデンサレンズ５を介して標本１を照明する。照明光により照明された標本１は、観察光軸Ｌ２の途中でミラー９により反射されながら、観察光軸Ｌ２上の対物レンズ６ａ、結像レンズ８により１次像面１０に投影される。その後、リレーレンズ１１により１次像が２次像にリレーされ、接眼レンズ１２により目視で観察可能とされている。
【０００６】
なお、倍率や観察方法に応じた対物レンズに切換える場合には、レボルバ７を観察光軸Ｌ２周りに回転させて所望のレンズ６ａを観察光軸Ｌ２上に入れ、準焦ハンドル１６を回動操作することで、レボルバ７を保持している上下動ガイド１５を顕微鏡本体１７に対して上下させて標本１にピントを合わせて観察する。また、目視でなく、ＣＣＤ等の撮像素子を用いて観察したい場合には、プリズム１３により紙面に垂直な方向（表裏方向）に光路を偏向させてＣＣＤ等の撮像素子に結像させることで電子的な撮像による観察も可能となる。
【０００７】
次に、図３３〜図３５を参照して、コンデンサレンズ５について詳細に説明する。コンデンサレンズ５は、その入射瞳位置近傍に配置され、回転軸２５を中心に回転するターレット２４を有する。このターレット２４には、微分干渉プリズム（以降、ＤＩＣプリズムと称する）２０、ＲＣ観察用のＲＣスリット２１などの複数の光学素子が着脱可能に固定されており、ターレット２４を回転させ、図示しないクリック機構などの位置決め機構により、光学素子を照明光軸Ｌ１上の位置に対して挿脱可能に位置決めできる構造とされている。また、ターレット２４において、照明光軸Ｌ１上には、レンズ１９が固定的に配置されている。
【０００８】
なお、ターレット２４は、ＲＣスリット２１を装着する部分には、図３４に示すように、ＲＣスリット２１の回転と光軸に対する芯出し機構を備えている。すなわち、ＲＣスリット２１は、板バネ２７によって中心に向かって押圧力を受けるよう付勢され、その反対側に離間させて配設した２本のネジ２８でその押圧力を受けるように構成されている。これにより、ネジ２８を回転させてＲＣスリット２１の位置を調整することで、ＲＣスリット２１を光軸に対する芯出しが可能となる。また、ＲＣスリット２１の周辺には、複数の溝３０が設けられており、ツマミ２９の先端をいずれかの溝３０に挿入して、図３４中の矢印で示す方向に動かすことでＲＣスリット２１を水平面内で回転させることも可能とされている。
【０００９】
さらに、ターレット２４の上方には、２種類の偏光板２２，２３を搭載したスライダ２６が配設されている。スライダ２６は、矢印で示す左右方向にスライド自在に設けられており、スライダ２６を矢印方向に移動させることで、２種類の偏光板２２，２３のいずれかを照明光軸Ｌ１上に位置決め挿脱可能とされている。位置決め機構は、特に図示しないが、クリック機構、ストッパ等の一般的な位置決め機構を用いればよい。なお、偏光板２２は、ＲＣ観察用ポラライザ（ＲＣ観察用偏光板）であり、偏光板２３は、ＤＩＣ観察用ポラライザ（ＤＩＣ観察用偏光板）であり、図３５に示すように、それぞれ外部に突出した周辺部２２ａ，２３ａを操作することで、それぞれ独立して回転可能とされている。
【００１０】
つづいて、図３２に戻って、観察系について説明する。レボルバ７の下方には、ＤＩＣプリズム３１、偏光板３２が光軸方向に重ねて搭載されたスライダ３３が設けられ、矢印で示す水平方向に動かすことで、ＤＩＣプリズム３１と偏光板３２とを同時に観察光軸Ｌ２上に位置決め挿脱可能とされている。位置決め機構は、特に図示しないが、クリック機構、ストッパ等の一般的な位置決め機構を用いればよい。ここで、偏光板３２は、ＤＩＣ観察に必要なＤＩＣ観察用アナライザである。また、ＤＩＣプリズム３１は、特に図示しないが、ＤＩＣ観察時のコントラスト調整のために、光軸に直交する方向（水平方向）に微小移動可能とされている。
【００１１】
このような構成において、まず、ＤＩＣ観察を行う場合について説明する。まず、レボルバ７を回動操作して、図３２に示すように、ＤＩＣ用の対物レンズ６ａが観察光軸Ｌ２上に入った状態に設定する。次に、観察前において、事前に偏光板の調整が必要なため、（１）〜（５）の手順で調整を行う。
【００１２】
（１）  コンデンサレンズ５におけるターレット２４を回動操作し、図示しない空穴を照明光軸Ｌ１上に位置付けて、光学素子が照明光軸Ｌ１上に入っていない状態にする。
【００１３】
（２）  コンデンサレンズ５におけるスライダ２６をスライド操作し、図３３に示すように、ＤＩＣ観察用ポラライザ２３が照明光軸Ｌ１上に入った状態にする。
【００１４】
（３）  レボルバ７の下方のスライダ３３をスライド操作し、ＤＩＣ用プリズム３１とＤＩＣ観察用アナライザ３２とが観察光軸Ｌ２上に入った状態にする。
【００１５】
（４）  接眼レンズ１２を外す。
【００１６】
（５）  ＤＩＣ観察用ポラライザ２３を回動操作し、振動方向がＤＩＣ観察用アナライザ３２の振動方向と直交するクロスニコルの状態にする。この際、接眼レンズ１２を外した状態で、観察光学系の射出瞳を見ると、斜めの線が見えるので、その線が最も暗くなったときがクロスニコルの状態である。なお、ＤＩＣ観察用アナライザ３２の振動方向は、予め設定された方向に固定されているため、これらの調整後は、ＤＩＣ観察用ポラライザ２３の振動方向は、図３５に矢印２３ｂで示す方向となる。
【００１７】
以上の（１）〜（５）が、事前のクロスニコル調整手順である。なお、クロスニコル調整は、一旦調整作業を行えば、以降は調整ずれがない限り、再調整する必要はない。
【００１８】
つづいて、接眼レンズ１２を装着し、対物レンズ６ａの種類に適合したＤＩＣプリズム２０を照明光軸Ｌ１上に入れ、前述したように標本１にピントを合わせることで、目視やＣＣＤ等の撮像素子によるＤＩＣ観察が可能となる。
【００１９】
次に、ＲＣ観察を行う場合について説明する。なお、ＲＣ観察においても、観察前に事前のスリット調整が必要であり、ここでは、先にスリット調整の概要について説明する。図３４に示すＲＣスリット２１には、照明光が透過しない材質の薄板に、光を１００％透過させる短冊矩形状の空孔スリット２１ａと、ＲＣ観察用アナライザ（ＲＣ観察用偏光板）となる偏光板を貼り付けた短冊矩形状の偏光スリット２１ｂとが並べて設けられている。一方、レボルバ７においてＲＣ観察に必要なＲＣ用対物レンズ６ｂ内の射出瞳位置に設けられた円板状のモジュレータ１８は、図３４に示すように、完全に遮光された領域１８ａと、２５％程度の透過率に形成された領域１８ｂと、１００％透過する領域１８ｃとの３領域に区分けして形成されている。そして、コンデンサレンズ５におけるレンズ１９と、ＲＣ用対物レンズ６ｂとにより、１００％透過の空孔スリット２１ａはモジュレータ１８の２５％程度の透過率に形成された領域１８ｂへ、偏光スリット２１ｂは１００透過する領域１８ｃへ、互いにはみ出さないように投影される必要がある。図３７は、モジュレータ１８に投影されたスリット像２１ａ´、２１ｂ´の状態を破線で示している。
【００２０】
このように、ＲＣスリット２１とモジュレータ１８は、光軸に垂直な面内で直交する２次元方向と、光軸を中心とした回転方向の相対的な調整が必要になる。具体的には、以下の（１）〜（５）の手順で調整を行う。
【００２１】
（１）  まず、図３２に示すＤＩＣ用対物レンズ６ａが観察光軸Ｌ２上に入った状態から、レボルバ７を回動操作してＲＣ用対物レンズ６ｂを照明光軸Ｌ１上に入れる。
【００２２】
（２）  コンデンサレンズ５におけるターレット２４を回動操作し、ＲＣスリット２１を照明光軸Ｌ１上に入れる。
【００２３】
（３）  コンデンサレンズ５におけるスライダ２６をスライド操作し、ＲＣ観察用ポラライザ２２を照明光軸Ｌ１上に入れる。
【００２４】
（４）  ＲＣスリット２１の芯出し、回転の調整を行い、前述のように空穴スリット２１ａ、偏光スリット２１ｂがそれぞれモジュレータ１８の領域１８ｂ、１８ｃへはみ出すことなく投影されるようにする。
【００２５】
（５）  ＲＣ観察用ポラライザ２２を回転させて、ＲＣスリット２１の偏光スリット２１ｂの透過率を変化させることで、標本１のコントラストが最適となるように調整する。
【００２６】
以上の（１）〜（５）によりＲＣ観察前の事前の調整作業は終了し、レボルバ７の下方のＤＩＣプリズム３１とＤＩＣ観察用アナライザ３２とを観察光軸Ｌ２から外すようにスライダ３３を操作することで、目視やＣＣＤ等の撮像素子によるＲＣ観察が可能となる。
【００２７】
ただし、対物レンズ６ｂの倍率、開口数ＮＡなどの種類によって、ＲＣスリット２１の大きさが異なるため、組み合わせる対物レンズ６ｂとＲＣスリット２１の種類毎に（１）〜（５）の調整が必要になる。ここで、対物レンズ６ｂやＲＣスリット２１は、１種類しか図示していないが、レボルバ７やターレット２４には、異なる種類の複数の対物レンズ６ｂやＲＣスリット２１が装着可能になっており、適宜切換えて使用するものである。
【００２８】
なお、それぞれの対物レンズ６ｂとＲＣスリット２１との組み合わせは、１：１であるので、（１）〜（４）の手順は、一旦調整すれば、衝撃等でずれない限り、再調整の必要はないが、（５）の手順に示すＲＣ観察用ポラライザ２２の調整は、対物レンズ６ｂを切換える度に再調整が必要である。なぜならば、対物レンズ６ｂは、レボルバ７にねじ込み固定されており、ねじの切り上げ位置を規定しない場合はもちろん、規定している場合でも、内蔵されたモジュレータ１８の回転方向は５°程度のバラツキがあり、モジュレータ１８のアナライザの振動方向もバラツキが生じるためである。よって、対物レンズ６ｂを切換えた場合には、ＲＣ観察用ポラライザ２２もモジュレータ１８のアナライザの振動方向に合わせて再調整が必要となる。
【特許文献１】特開昭５１−２９１４９号公報
【特許文献２】特開２００３−５０３５３号公報
【発明の開示】
【発明が解決しようとする課題】
【００２９】
しかしながら、前述した従来の顕微鏡１００においては、以下のような問題がある。  例えば、ＤＩＣ観察からＲＣ観察に観察方法を切換える場合には、以下の（１）〜（５）の手順が必要となる。
【００３０】
（１）  ＤＩＣ用対物レンズ６ａをＲＣ用対物レンズ６ｂに切換える。
【００３１】
（２）  コンデンサレンズ５の光学素子を、ＤＩＣプリズム２０からＲＣスリット２１に切換える。
【００３２】
（３）  ＤＩＣ観察用ポラライザ２３をＲＣ観察用ポラライザ２２に切換える。
【００３３】
（４）  レボルバ７下方のＤＩＣプリズム３１とＤＩＣ観察用アナライザ３２を観察光軸Ｌ２から外す。
【００３４】
（５）  ＲＣ用対物レンズ６ｂの種類が前回の観察時と異なる場合には、ＲＣ観察用ポラライザ２２の回転による再調整を行う。
【００３５】
このように、従来方式による場合、ＤＩＣ観察からＲＣ観察に観察方法を切換える場合には、非常に多くの操作が必要となり、極めて煩雑である。
【００３６】
このような問題点に対する解決策が、例えば、特許文献２に示されている。特許文献２では、例えば図３８にコンデンサレンズ５の構成を示すように、ＤＩＣ観察用ポラライザ２３とＲＣ観察用ポラライザ２２とを、それぞれ組み合わせるべき光学素子であるＤＩＣ用プリズム２０、ＲＣスリット２１上に一体的に配置させ、ターレット２４の回転による切換えにより、対をなすポラライザと光学素子とが同時に照明光軸Ｌ１上に挿脱可能としたものである。このような構成により、上述の（３）（５）の操作を不要にすることができる。しかしながら、特許文献２による解決策でも、例えば、上述の（４）の挿脱操作は必要となっている。よって、特許文献１による解決策でも十分でない。
【００３７】
このような観察方法の切換えに関する問題は、ＲＣ観察とＤＩＣ観察との間での切換えに限らず、例えば、ＲＣ観察と偏光観察との間での切換えに関しても同様である。
【００３８】
本発明は、上記に鑑みてなされたものであって、観察方法の切換え時の光軸上に対する素子の挿脱操作を１回でも少ない回数で行える操作性のよい顕微鏡を提供することを目的とする。
【課題を解決するための手段】
【００３９】
上述した課題を解決し、目的を達成するために、本発明にかかる顕微鏡は、照照明光路中に配置されて、観察方法を切換えるために少なくとも1個の光学素子を照明光軸上に挿脱可能なコンデンサレンズと、前記光学素子の照明光軸上への挿脱とは独立して照明光軸上に配置されて第1の偏光板と第2の偏光板とを共用し、前記第1の偏光板用の第1の振動方向の位置と前記第2の偏光板用の第2の振動方向の位置とを記憶させ、記憶させた第1または第2の振動方向の位置を選択的に再現保持可能な偏光板と、を備えることを特徴とする。
【発明の効果】
【００４０】
本発明にかかる顕微鏡によれば、観察方法の切換え時の光軸上に対する素子の挿脱操作を１回でも少ない回数で行える操作性のよい顕微鏡を提供することができるという効果を奏する。
【００４１】
一つの本発明にかかる顕微鏡によれば、コンデンサレンズにおいて光学素子と同一光軸上に配置されて光学素子と一体で照明光軸上に挿脱可能な第１の偏光板を備えるとともに、光学素子の照明光軸上への挿脱とは独立して照明光軸上に配置される第２の偏光板を備えるので、観察方法の切換え時には、照明光軸に対する第１の偏光板の挿脱切換えを光学素子の挿脱切換えと別個に行う必要がなく、挿脱操作の回数を減らすことができるという効果を奏する。加えて、対物レンズの種類に応じて複数必要な安価な偏光板は第１の偏光板として光学素子と一体的に設けるが、対物レンズの種類に依らず一種類でよい高価な偏光板は第２の偏光板として光学素子とは独立させて設けることで、安価な構成で実現できるという効果を奏する。
【００４２】
また、一つの本発明にかかる顕微鏡によれば、第１の偏光板と第２の偏光板との機能を共用する偏光板をコンデンサレンズとは独立して照明光軸上に配置させ、偏光板は、第１、第２の偏光板用のそれぞれの異なる第１、第２の振動方向の位置を記憶してその振動方向の位置を再現保持可能であるので、観察方法の切換え時には、偏光板の第１、第２の振動方向の位置を選択的に再現保持させればよく、偏光板の照明光軸上への挿脱操作は不要であり、挿脱操作の回数を減らすことができるという効果を奏する。加えて、偏光板の第１、第２の振動方向の位置は再現保持可能に記憶されており、観察方法切換え時の偏光板
の振動方向の切換えも容易に行うことができ、かつ、共用の１個の偏光板を備えればよく、安価に構成できるという効果を奏する。
【００４３】
また、一つの本発明にかかる顕微鏡によれば、レリーフコントラスト観察用に偏光板を有しないレリーフコントラスト用スリットを有するコンデンサレンズを用いているので、レリーフコントラスト観察時であっても、微分干渉観察用偏光板または偏光観察用偏光板を照明光軸上から外す必要がなく、よって、観察方法の切換え時に照明光軸に対する偏光板の挿脱操作を要せず、挿脱操作の回数を減らすことができるという効果を奏する。加えて、レリーフコントラスト観察時に偏光板が照明光軸上に配置されていても、レリーフコントラスト用スリットが偏光に依存しないので、明るさのロスが少なく、安価で簡単な構成にして、良好なるレリーフコントラスト観察を行えるという効果を奏する。
【００４４】
また、一つの本発明にかかる顕微鏡によれば、レリーフコントラスト観察用に偏光板を有しないレリーフコントラスト用スリットを有するコンデンサレンズを用いているので、レリーフコントラスト観察時であっても、微分干渉観察用偏光板または偏光観察用偏光板を観察光軸上から外す必要がなく、よって、観察方法の切換え時に観察光軸に対する偏光板の挿脱操作を要せず、挿脱操作の回数を減らすことができるという効果を奏する。
【００４５】
また、一つの本発明にかかる顕微鏡によれば、照明光路中に配置されたレリーフコントラスト観察用の第５の偏光板と、観察光軸上に配置されたレリーフコントラスト観察とは異なる観察用の第７の偏光板との振動方向がほぼ一致するように配置されているので、レリーフコントラスト用スリットにおける明るさのロスが少なく、レリーフコントラスト観察時時であっても第７の偏光板を観察光軸上から外す必要がなく、よって、観察方法の切換え時に偏光板の挿脱操作を要せず、挿脱操作の回数を減らすことができるという効果を奏する。
【００４６】
また、一つの本発明にかかる顕微鏡によれば、レリーフコントラスト観察とは異なる観察用の第９の偏光板を観察光軸上に備え、レリーフコントラスト用スリットに対して第９の偏光板側にデポライザを備えるので、レリーフコントラスト観察時であってもレリーフコントラスト用スリットを通過する光の偏光状態をデポライザにより解消することで、第９の偏光板に対する明るさのロスが少なく、レリーフコントラスト観察時時であっても第９の偏光板を観察光軸上から外す必要がなく、よって、観察方法の切換え時に観察光軸に対する偏光板の挿脱操作を要せず、挿脱操作の回数を減らすことができるという効果を奏する。
【発明を実施するための最良の形態】
【００４７】
以下、図面を参照して本発明にかかる顕微鏡を実施するための最良の形態について説明する。図３２〜図３８中に示した部分と同一または相当する部分には同一符号を付して示す。本発明は、各実施の形態や変形例に限らず、本発明の趣旨を逸脱しない範囲であれば、種々の変形が可能である。
（実施の形態１）
図１は、本発明の実施の形態１にかかる顕微鏡の全体構成例を示す概略側面図であり、図２は、図１中のコンデンサレンズ部分を抽出し拡大して示す概略側面図であり、図３は、ＤＩＣ観察時に光軸上に配置される素子例を示す斜視図であり、図４は、ＲＣ観察時に光軸上に配置される素子例を示す斜視図であり、図５は、図４中のＲＣスリットを矢印Ｘ方向から見た平面図である。
【００４８】
図１に示す本実施の形態１にかかる顕微鏡１Ａの全体構成は、図３２に示した従来の顕微鏡１００の全体構成とほぼ同じであるが、図２に示すように、コンデンサレンズ５Ａ部分の構成が異なる。図２を参照して、本実施の形態１のコンデンサレンズ５Ａの構成について説明する。図３８に示したコンデンサレンズ５では、ＲＣ観察用ポラライザ２２とＤＩＣ観察用ポラライザ２３とをともにターレット２４上に配置し、ＲＣスリット２１やＤＩＣプリズム２０と一体で照明光軸Ｌ１上に対して挿脱可能としたが、本実施の形態１のコンデンサレンズ５Ａでは、ＲＣ観察用ポラライザ２２はＲＣスリット２１と対をなすようにターレット２４上に配置させるが、ＤＩＣ観察用ポラライザ２３はターレット２４上方の照明光軸Ｌ１上に固定的に配置させたものである。すなわち、ＲＣ観察用ポラライザ２２はＲＣスリット２１と同一光軸上に配置しターレット２４によりＲＣスリット２１と一体で照明光軸Ｌ１上に挿脱可能とするが、ＤＩＣ観察用ポラライザ２３はＲＣスリット２１の照明光軸Ｌ１上への挿脱とは独立して照明光軸Ｌ１上に配置されている。
【００４９】
ここで、ＤＩＣ観察用ポラライザ２３は、従来例の場合と同様、クロスニコル調整のために回転可能に設けられている。また、ターレット２４の構造や、ＲＣスリット２１の着脱、回転調整、芯出し調整機構、ＲＣ観察用ポラライザ２２の回転調整機構に関するコンデンサレンズ５Ａのその他の部分の構成、作用は、コンデンサレンズ５に準ずる。
【００５０】
このような構成により、ＤＩＣ観察時には、図３に示すように各素子が光軸Ｌ１、Ｌ２上に配置される。また、ＲＣ観察時には、ターレット２４を回動操作し、スライダ３３をスライド操作することで、図４に示すように各素子が光軸Ｌ１、Ｌ２上に配置される。
【００５１】
よって、本実施の形態１においては、従来例の場合と異なり、ＲＣ観察の場合において、ＲＣ観察用ポラライザ２２だけでなく、ＤＩＣ観察用ポラライザ２３も照明光軸Ｌ１上に挿入された状態となる。この場合、ＲＣ観察用ポラライザ２２とＤＩＣ観察用ポラライザ２３の振動方向が直交方向に近い状態にあると照明光の大幅なロスとなる。この点、本実施の形態１では、図４のＲＣ観察時の状態に示すように、ＲＣ観察用ポラライザ２２とＤＩＣ観察用ポラライザ２３の振動方向が同一方向（厳密に同一でなくてもよく、要は、ほぼ同一方向として一致していればよい）なるパラレルニコルの状態に設定されており、照明光のロスが最小限に抑制される。
【００５２】
この際、ＲＣ観察用ポラライザ２２とＲＣ観察用アナライザとなる偏光スリット２１ｂとの振動方向の関係は、偏光スリット２１ｂの開口部の合計の透過率が２０％前後になると標本１のコントラストが適正になり、そのときの振動方向の相対的な角度は、図５に示すように、１０°程度となる。また、対物レンズ６ｂとレボルバ７のねじの切り上げ位置を規定しているので、ＲＣスリット２１の偏光スリット２１ｂの長手方向と偏光スリット２１ｂの振動方向の関係をＲＣスリット２１の種類に依らず一定にしておけば、偏光スリット２１ｂの振動方向はＲＣスリット２１の種類に依らずほぼ一定となる。よって、前述のように、ＲＣ観察用ポラライザ２２の振動方向も偏光スリット２１ｂも振動方向に対して約１０°に調整されるので、ＲＣ観察用ポラライザ２２の振動方向も、対物レンズ６ｂの倍率によるＲＣスリット２１の種類が変わっても再調整する必要がなく、ＤＩＣ観察用ポラライザ２３の振動方向とほぼ一致させることができる。
【００５３】
なお、図３のＤＩＣ観察時の状態に示すように、ＤＩＣ観察用ポラライザ２３の振動方向に合わせて、クロスニコルの状態となるように、ＤＩＣ観察用アナライザ３２の振動方向が設定されている。
【００５４】
本実施の形態１によれば、ＲＣ観察用ポラライザ２２はＲＣスリット２１と対でターレット２４に搭載され、観察方法切換え時に必須となるターレット２４の回転操作によるＲＣスリット２１の挿脱と一体で照明光軸Ｌ１に対して挿脱されるので、ＲＣ観察用ポラライザ２２単独の挿脱操作を要せず、観察方法切換え時の操作回数を減らすことができる。また、ＲＣ観察時に対物レンズ６ｂの倍率を変更した場合や、ＲＣ観察とＤＩＣ観察とを切換えた場合でも、ポラライザ２２，２３の回転操作による振動方向の再調整は不要となる。さらに、高価なＤＩＣ観察用ポラライザ２３は、ターレット２４側から独立して配置され、１個で構成できるため、安価に実現することができる。また、ＤＩＣ観察用ポラライザ２３とＲＣ観察用ポラライザ２２の振動方向を一致させているので、ＲＣ観察時にＤＩＣ観察用ポラライザ２３が照明光軸Ｌ１上に存在しても照明光のロスを最小限に抑制することができる。これにより、ＤＩＣ観察用ポラライザ２３を支障なく照明光軸Ｌ１上に固定配置させることができ、ＤＩＣ観察用ポラライザ２３の挿脱操作を不要にすることができる。
（変形例１）
図６は、本実施の形態１にかかる変形例１の照明系の一部の構成例を示す概略側面図である。変形例１では、ＤＩＣ観察用ポラライザ２３を、コンデンサレンズ５Ａ部分には配置せずに、上方の照明光学系筐体１７に取付けたものである。
【００５５】
変形例１によれば、例えばＤＩＣ観察が不要な場合にはＤＩＣ観察用ポラライザ２３を用意する必要がなくなり、経済的となる。また、コンデンサレンズ５ＡにＤＩＣ観察用ポラライザ２３を配置するスペースがない場合にも有効となる。
（変形例２）
図７は、本実施の形態１にかかる変形例２のコンデンサレンズ５０の構成例を示す概略側面図である。変形例２は、ＲＣ観察とＤＩＣ観察との観察方法の切換えに代えて、ＲＣ観察と偏光観察との観察方法の切換えに適用したものである。すなわち、図２に示したＤＩＣ観察用ポラライザ２３に代えて、偏光観察用ポラライザ（偏光観察用偏光板）５１をコンデンサレンズ５０上に配置させたものである。また、コンデンサレンズ５０上のターレット２４には、ＤＩＣプリズム２０に代えて空穴５２が形成され、偏光観察用ポラライザ５１と空穴５２との組合せにより偏光観察が可能とされている。
【００５６】
その他の構成、作用、効果は、実施の形態１の場合と同様である。偏光観察用ポラライザ５１は、ＤＩＣ観察用ポラライザ２３よりも高価な場合が多いので、経済的効果は一層大となる。
【００５７】
なお、以下の実施の形態においても、特に図示しないが、ＤＩＣ観察用ポラライザ２３に代えて変形例２の如く、偏光観察用ポラライザ５１を適用することで、ＲＣ観察と偏光観察との間の観察方法の切換えが可能となる。
（実施の形態２）
図８は、本発明の実施の形態２にかかる顕微鏡の全体構成例を示す概略側面図であり、図９は、図８中のコンデンサレンズ部分を抽出し拡大して示す概略側面図であり、図１０は、ＲＣ観察時に光軸上に配置される素子例を示す斜視図である。
【００５８】
図８に示す本実施の形態２にかかる顕微鏡１Ｂの全体構成は、図１に示した顕微鏡１Ａの全体構成とほぼ同じであるが、図８中に示すように、観察系に関してスライダ３３を省略し、ＤＩＣプリズム３１およびＤＩＣ観察用アナライザ３２を観察光軸Ｌ２上に固定的に配置させたものである。また、コンデンサレンズ５Ｂにおいて、ＲＣスリット２１の空穴スリット２１ａの下面（観察光学系側）には、デポライザ２７が接着固定されている。
【００５９】
このような構成により、ＤＩＣ観察時には、前述の図３に示したように各素子が光軸Ｌ１、Ｌ２上に配置される。一方、ＲＣ観察時には、ターレット２４を回動操作することで、図１０に示すように各素子が光軸Ｌ１、Ｌ２上に配置される。すなわち、ＲＣ観察時においても、ＤＩＣプリズム３１およびＤＩＣ観察用アナライザ３２が観察光軸Ｌ２上に配置されたままとなる。この際、ＤＩＣ観察用アナライザ３２はＲＣ観察用ポラライザ２２の振動方向とクロスニコルの状態にあり、ＲＣスリット２１の空穴スリット２１ａを通る照明光のロスは極めて大きくなってしまうが、空穴スリット２１ａの下面にデポライザ２７が配置され、空穴スリット２１ａを通過する照明光の偏光状態が解消されるので、ＤＩＣ観察用アナライザ３２部分での光量ロスを抑制することができる。これにより、ＤＩＣプリズム３１およびＤＩＣ観察用アナライザ３２を観察光軸Ｌ２上に固定的に配置しても支障がなく、観察方法の切換え時に挿脱操作を不要にすることができ、挿脱操作の回数をさらに減らすことができる。
（実施の形態３）
図１１は、本発明の実施の形態３にかかる顕微鏡の全体構成例を示す概略側面図であり、図１２は、図１１中のコンデンサレンズ部分およびＤＩＣ観察用アナライザ部分を抽出し拡大して示す概略側面図であり、図１３は、ＲＣ観察時に光軸上に配置される素子の一部を平面状に展開して示す模式図である。
【００６０】
図１１に示
す本実施の形態３にかかる顕微鏡１Ｃの全体構成は、図８に示した顕微鏡１Ｂの全体構成とほぼ同じであるが、図１２に示すように、コンデンサレンズ５Ｃ部分の構成が異なる。図１２を参照して、本実施の形態３のコンデンサレンズ５Ｃの構成について説明する。本実施の形態３では、ＤＩＣ観察用ポラライザ２３を空穴２８とともにスライダ２６に配置させることで、ターレット２４側とは独立して照明光軸Ｌ１に対する挿脱を可能としたものである。
【００６１】
これにより、ＲＣ観察時には、ターレット２４を回転操作してＲＣスリット２１およびＲＣ観察用ポラライザ２２を照明光軸Ｌ１上に入れるとともに、スライダ２６をスライド操作して空穴２８を照明光軸Ｌ１上に入れることで、ＤＩＣ観察用ポラライザ２３が照明光軸Ｌ１上に存在しない観察状態とすることができる。よって、ＲＣ観察時における照明光のロスをさらに低減させることができる。
【００６２】
ここで、本実施の形態３では、実施の形態２の場合と同様、観察系に関してスライダ３３が省略され、ＤＩＣプリズム３１およびＤＩＣ観察用アナライザ３２が観察光軸Ｌ２上に固定的に配置されている。そして、ＤＩＣ観察のために、ＤＩＣ観察用ポラライザ２３とＤＩＣ観察用アナライザ３２の振動方向がクロスニコルの状態となるように設定されるのに加えて、本実施の形態３では、図１３に模式的に示すように、ＤＩＣ観察用アナライザ３２とＲＣ観察用ポラライザ２２の振動方向が同一方向（厳密に同一でなくてもよく、要は、ほぼ同一方向として一致していればよい）なるパラレルニコルの状態となるように
設定されている。また、このようなＲＣ観察用ポラライザ２２の振動方向の変更設定に伴い、ＲＣスリット２１の偏光スリット２１ｂの振動方向も図１３中に示すように調整されて変更設定されている（モジュレータ１８も対応して調整される）。
【００６３】
このように、本実施の形態３によれば、ＤＩＣ観察用アナライザ３２とＲＣ観察用ポラライザ２２の振動方向がパラレルニコルの状態にあり、ＲＣスリット２１の空穴スリット２１ａを通る照明光のロスが極めて少なくなるよう抑制することができる。これにより、ＤＩＣプリズム３１およびＤＩＣ観察用アナライザ３２を観察光軸Ｌ２上に固定的に配置し、観察方法の切換え時に挿脱操作を不要にすることができ、挿脱操作の回数を減らすことができる。
（実施の形態４）
図１４は、本発明の実施の形態４にかかる顕微鏡の全体構成例を示す概略側面図であり、図１５は、図１４中のコンデンサレンズ部分およびＤＩＣ観察用アナライザ部分を抽出し拡大して示す概略側面図であり、図１６は、ＲＣ観察時に光軸上に配置される素子の一部を平面状に展開して示す模式図である。
【００６４】
図１４に示す本実施の形態４にかかる顕微鏡１Ｄの全体構成は、図８に示した顕微鏡１Ｂの全体構成とほぼ同じであるが、図１５に示すように、コンデンサレンズ５Ｄ部分の構成が異なる。図１５を参照して、本実施の形態４のコンデンサレンズ５Ｄの構成について説明する。
【００６５】
本実施の形態４では、コンデンサレンズ５Ｄにおいて、ターレット２４にはＤＩＣプリズム２０とＲＣスリット２１のみを搭載し、照明光軸Ｌ１上の位置でその上方に、ＤＩＣ観察用ポラライザ２３とＲＣ観察用ポラライザ２２との機能を共用する１個の共用ポラライザ３４を配置させたものである。この共用ポラライザ３４は、クリック機構を利用して、ＲＣ観察用ポラライザ２２用の第１の振動方向の位置（角度）とＤＩＣ観察用ポラライザ２３用の第２の振動方向の位置（角度）とを記憶させ、記憶させた第１または第２の振動方向の位置を選択的に再現保持可能に構成されている。
【００６６】
以下、クリック機構を利用した共用ポラライザ３４の第１、第２の振動方向の位置（角度）を記憶させ、その位置を再現保持する構造について、図１５を参照して説明する。共用ポラライザ３４は、環状のポラライザ枠３５に接着固定されている。ポラライザ枠３５は、一回り大きな環状の中枠３６に対してスラスト方向の動きを規制されつつ、回転可能に保持されている。また、中枠３６は、さらに一回り大きな環状の外枠３８に対してスラスト方向の動きを規制されつつ、回転可能に保持されている。なお、中枠３６および外枠３８の外周面に設けられた周方向に長い長穴３６ａ、３８ａを介してツマミ３７のネジ部３７ａがポラライザ枠３５にねじ込まれている。ネジが緩んだ状態でツマミ３７を動かすことで、中枠３６に対してポラライザ枠３５は回転可能となり、ツマミ３７のネジが完全にねじ込まれた状態では、中枠３６に対してポラライザ枠３５は回転できず固定された状態となるように構成されている。
【００６７】
また、ツマミ３７のネジが完全にねじ込まれた状態でツマミ３７を動かすと、中枠３６が外枠３８に対して回転し、さらに中枠３６の一部に形成された溝３６ｂと外枠３８に設けられたコイルばねとボールとによるクリック機構４０ａにより位置決めできるように構成されている。さらに、中枠３６の外周面側に装填された環状のクリック枠３９の一部に形成された溝３９ａと外枠３８に設けられたコイルばねとボールとによるクリック機構４０ｂにより、クリック枠３９は外枠３８に対して仮固定されており、ツマミ３７が完全にねじ込まれた状態でツマミ３７を動かすと、中枠３６が外枠３８に対して回転するとともに、クリック枠３９に対しても回転可能となるように構成されている。
【００６８】
このような状態で、外枠３８の外周面に設けられた長穴３８ｂを介してクリック枠３９にねじ込まれたネジ４８を固定すると、中枠３６とクリック枠３９は、一体となって回転するようになる。さらに、クリック枠３９の溝３９ａと外枠３８に設けられたコイルばねとボールとによるクリック機構４０ｂにより、中枠３６と外枠３８は位置決めが可能となっている。
【００６９】
このような構成により、ツマミ３７を緩めた状態でＤＩＣ観察用のクロスニコル調整を行って、共用ポラライザ３４をＤＩＣ観察用ポラライザ２３として機能させるための振動方向の位置（角度）を記憶させるようにツマミ３７をねじ込み固定する。さらに、ツマミ３７を回動操作することでＲＣ観察時のポラライザの調整を行って、共用ポラライザ３４をＲＣ観察用ポラライザ２２として機能させるための振動方向の位置（角度）を記憶させるようにネジ４８を固定する。
【００７０】
そこで、ＤＩＣ観察時やＲＣ観察時には、ツマミ３７を回動操作することで、クリック機構４０ａまたは４０ｂにより、共用ポラライザ３４を、ＤＩＣ観察用のクロスニコルの位置と、ＲＣ観察用のポラライザの振動方向の位置とを、選択的に再現保持することができる。
【００７１】
よって、本実施の形態４によれば、観察方法の切換え時には、共用ポラライザ３４に設定された２つの振動方向の位置を選択的に再現保持させればよく、共用ポラライザ３４の照明光軸Ｌ１上への挿脱操作は不要であり、挿脱操作の回数を減らすことができる。また、共用ポラライザ３４の２つの振動方向の位置はクリック機構４０ａ，４０ｂを利用して再現保持可能に記憶されており、観察方法切換え時の共用ポラライザ３４の振動方向の切換えも容易に行うことができる。そして、１個の共用ポラライザ３４でＤＩＣ観察とＲＣ観察とが可能であり、安価に構成できる。
【００７２】
ここで、本実施の形態４では、実施の形態３の場合と同様、観察系に関してスライダ３３が省略され、ＤＩＣプリズム３１およびＤＩＣ観察用アナライザ３２が観察光軸Ｌ２上に固定的に配置されている。また、ＤＩＣ観察のために、共用ポラライザ３４がＤＩＣ観察用ポラライザ２３として機能する振動方向の位置とＤＩＣ観察用アナライザ３２の振動方向の位置がクロスニコルの状態となるように設定されている。さらに、図１６に模式的に示すように、ＤＩＣ観察用アナライザ３２と共用ポラライザ３４がＲＣ観察用ポラライザ２２として機能する振動方向の位置が同一方向（厳密に同一でなくてもよく、要は、ほぼ同一方向として一致していればよい）なるパラレルニコルの状態となるように設定されている。また、このようなＲＣ観察用ポラライザ２２の振動方向の変更設定に伴い、ＲＣスリット２１の偏光スリット２１ｂの振動方向も図１６中に示すように調整されて変更設定されている（モジュレータ１８も対応して調整される）。
【００７３】
このように、本実施の形態４によれば、ＤＩＣ観察用アナライザ３２と共用ポラライザ３４がＲＣ観察用ポラライザ２２として機能する振動方向の位置がパラレルニコルの状態にあり、ＲＣスリット２１の空穴スリット２１ａを通る照明光のロスが極めて少なくなるよう抑制することができる。これにより、ＤＩＣプリズム３１およびＤＩＣ観察用アナライザ３２を観察光軸Ｌ２上に固定的に配置し、観察方法の切換え時に挿脱操作を不要にすることができ、挿脱操作の回数を減らすことができる。
（実施の形態５）
図１７は、本発明の実施の形態５にかかる顕微鏡の全体構成例を示す概略側面図であり、図１８は、図１７中のコンデンサレンズ部分およびＤＩＣ観察用アナライザ部分を抽出し拡大して示す概略側面図であり、図１９は、ＲＣ観察時に光軸上に配置される素子の一部を平面状に展開して示す模式図である。
【００７４】
図１７に示す本実施の形態５にかかる顕微鏡１Ｅの全体構成は、図１４に示した顕微鏡１Ｄの全体構成とほぼ同じであるが、図１８に示すように、コンデンサレンズ５Ｅ部分の構成が異なる。図１８を参照して、本実施の形態５のコンデンサレンズ５Ｅの構成について説明する。
【００７５】
本実施の形態５では、コンデンサレンズ５Ｅにおいて、ターレット２４にはＤＩＣプリズム２０とＲＣスリット２１のみを搭載し、照明光軸Ｌ１上の位置でその上方に、ＤＩＣ観察用ポラライザ２３とＲＣ観察用ポラライザ２２との機能を共用する１個の共用ポラライザ３４を配置させたものである。この共用ポラライザ３４は、モータ４３を利用した電動制御で自動的に、ＲＣ観察用ポラライザ２２用の第１の振動方向の位置（角度）とＤＩＣ観察用ポラライザ２３用の第２の振動方向の位置（角度）とを記憶させ、記憶させた第１または第２の振動方向の位置を選択的に再現保持可能に構成されている。
【００７６】
以下、モータ４３を利用する電動制御による共用ポラライザ３４の第１、第２の振動方向の位置（角度）を記憶させ、その位置を再現保持する構成について、図１８を参照して説明する。まず、共用ポラライザ３４は回転自在に設けられた環状のポラライザ枠４４に接着固定されている。ポラライザ枠４４の外周面にはギヤ４４ａが設けられ、モータ４３のシャフトに固定されたギヤ４５が噛み合っており、ポラライザ枠４４は、モータ４３の回転駆動により回転可能とされている。ここで、モータ４３は、ロータリエンコーダ等による回転角度検出機構を備えており、回転角度が検出可能なものが用いられている。そして、実施の形態４で説明したような共用ポラライザ３４をＤＩＣ観察用ポラライザとして機能させるように調整設定された振動方向の位置（角度）と、ＲＣ観察用ポラライザとして機能させるように調整設定された振動方向の位置（角度）は、モータ４３の駆動を制御する制御部４２が記憶しているものとする。また、図１７中に示すように、レボルバ７もモータ４１により回転可能に構成されている。モータ４１の動作も、制御部４２によって制御される。
【００７７】
これにより、制御部４２は、モータ４１の駆動に基づきどのような種類の対物レンズが観察光軸Ｌ２上に入ったかを判断し、挿入された対物レンズの種類に合わせて、予め適正に設定された共用ポラライザ３４の振動方向の位置（角度）をモータ４３の駆動制御で自動的に再現保持するものである。
【００７８】
このような構成により、本実施の形態５では、対物レンズを切換えると、その切換えに連動して自動的に共用ポラライザ３４が適正な振動方向の位置（角度）となるようにモータ４３で再現保持されるので、後は、観察方法切換えに必須なターレット２４の回動操作を行って、対物レンズの倍率と観察方法に適合するＲＣスリット２１またはＤＩＣプリズム２０を照明光軸Ｌ１上に入れるだけで、所望の観察方法による観察が可能となる。
【００７９】
よって、本実施の形態５によれば、観察方法の切換え時には、共用ポラライザ３４に設定された２つの振動方向の位置を選択的に再現保持させればよく、共用ポラライザ３４の照明光軸Ｌ１上への挿脱操作は不要であり、挿脱操作の回数を減らすことができる。また、共用ポラライザ３４の回動動作もモータ４３によって自動的に行わせることができ、共用ポラライザ３４に関する手動操作が不要となる。また、１個の共用ポラライザ３４でＤＩＣ観察とＲＣ観察とが可能であり、安価に構成できる。
【００８０】
ここで、本実施の形態５でも、実施の形態４の場合と同様、観察系に関してスライダ３３が省略され、ＤＩＣプリズム３１およびＤＩＣ観察用アナライザ３２が観察光軸Ｌ２上に固定的に配置されている。また、ＤＩＣ観察のために、共用ポラライザ３４がＤＩＣ観察用ポラライザ２３として機能する振動方向の位置とＤＩＣ観察用アナライザ３２の振動方向の位置がクロスニコルの状態となるように設定されている。さらに、図１９に模式的に示すように、ＤＩＣ観察用アナライザ３２と共用ポラライザ３４がＲＣ観察用ポラライザ２２として機能する振動方向の位置が同一方向（厳密に同一でなくてもよく、要は、ほぼ同一方向として一致していればよい）なるパラレルニコルの状態となるように設定されている。また、このようなＲＣ観察用ポラライザ２２の振動方向の変更設定に伴い、ＲＣスリット２１の偏光スリット２１ｂの振動方向も図１９中に示すように調整されて変更設定されている（モジュレータ１８も対応して調整される）。
【００８１】
このように、本実施の形態５によれば、ＤＩＣ観察用アナライザ３２と共用ポラライザ３４がＲＣ観察用ポラライザ２２として機能する振動方向の位置がパラレルニコルの状態にあり、ＲＣスリット２１の空穴スリット２１ａを通る照明光のロスが極めて少なくなるよう抑制することができる。これにより、ＤＩＣプリズム３１およびＤＩＣ観察用アナライザ３２を観察光軸Ｌ２上に固定的に配置し、観察方法の切換え時に挿脱操作を不要にすることができる。よって、オペレータによる挿脱操作は、観察方法の切換えに必須なターレット２４の回動操作のみで済ませることができる。
（実施の形態６）
図２０は、本発明の実施の形態６にかかる顕微鏡の全体構成例を示す概略側面図であり、図２１は、図２０中のコンデンサレンズ部分およびＤＩＣ観察用アナライザ部分を抽出し拡大して示す概略側面図であり、図２２は、ＲＣ観察時に光軸上に配置される素子の一部を平面状に展開して示す模式図である。
【００８２】
図２０に示す本実施の形態６にかかる顕微鏡１Ｆの全体構成は、図３２に示した顕微鏡１００の全体構成とほぼ同じであるが、図２０中に示すように、観察系に関してスライダ３３を省略し、ＤＩＣプリズム３１およびＤＩＣ観察用アナライザ３２を観察光軸Ｌ２上に固定的に配置させたものである。
【００８３】
コンデンサレンズ５Ｆ部分の構成要素は、図３３に示したコンデンサレンズ５の場合と同様である。ここで、ＤＩＣ観察のために、ＤＩＣ観察用ポラライザ２３とＤＩＣ観察用アナライザ３２の振動方向がクロスニコルの状態となるように設定されるのに加えて、本実施の形態６では、図２２に模式的に示すように、ＤＩＣ観察用アナライザ３２とＲＣ観察用ポラライザ２２の振動方向が同一方向（厳密に同一でなくてもよく、要は、ほぼ同一方向として一致していればよい）なるパラレルニコルの状態となるように設定されている。また、このようなＲＣ観察用ポラライザ２２の振動方向の変更設定に伴い、ＲＣスリット２１の偏光スリット２１ｂの振動方向も図２２中に示すように調整されて変更設定されている（モジュレータ１８も対応して調整される）。
【００８４】
このように、本実施の形態６によれば、ＤＩＣ観察用アナライザ３２とＲＣ観察用ポラライザ２２の振動方向がパラレルニコルの状態にあり、ＲＣスリット２１の空穴スリット２１ａを通る照明光のロスが極めて少なくなるよう抑制することができる。これにより、ＤＩＣプリズム３１およびＤＩＣ観察用アナライザ３２を観察光軸Ｌ２上に固定的に配置し、観察方法の切換え時に観察光軸Ｌ２に対する挿脱操作を不要にすることができ、挿脱操作の回数を減らすことができる。
（実施の形態７）
図２３は、本発明の実施の形態７にかかる顕微鏡の全体構成例を示す概略側面図であり、図２４は、図２３中のコンデンサレンズ部分およびＤＩＣ観察用アナライザ部分を抽出し拡大して示す概略側面図であり、図２５は、ＲＣ観察時に光軸上に配置される素子の一部を平面状に展開して示す模式図である。
【００８５】
図２３に示す本実施の形態７にかかる顕微鏡１Ｇの全体構成は、図３２に示した顕微鏡１００の全体構成とほぼ同じであるが、図２３中に示すように、観察系に関してスライダ３３を省略し、ＤＩＣプリズム３１およびＤＩＣ観察用アナライザ３２を観察光軸Ｌ２上に固定的に配置させたものである。
【００８６】
コンデンサレンズ５Ｇ部分の構成要素は、図３８に示したコンデンサレンズ５の場合と同様である。ここで、ＤＩＣ観察のために、ＤＩＣ観察用ポラライザ２３とＤＩＣ観察用アナライザ３２の振動方向がクロスニコルの状態となるように設定されるのに加えて、本実施の形態７では、図２５に模式的に示すように、ＤＩＣ観察用アナライザ３２とＲＣ観察用ポラライザ２２の振動方向が同一方向（厳密に同一でなくてもよく、要は、ほぼ同一方向として一致していればよい）なるパラレルニコルの状態となるように設定されている。また、このようなＲＣ観察用ポラライザ２２の振動方向の変更設定に伴い、ターレット２４上で対をなすＲＣスリット２１の偏光スリット２１ｂの振動方向も図２５中に示すように調整されて変更設定されている（モジュレータ１８も対応して調整される）。
【００８７】
このように、本実施の形態７によれば、ＤＩＣ観察用アナライザ３２とＲＣ観察用ポラライザ２２の振動方向がパラレルニコルの状態にあり、ＲＣスリット２１の空穴スリット２１ａを通る照明光のロスが極めて少なくなるよう抑制することができる。これにより、ＤＩＣプリズム３１およびＤＩＣ観察用アナライザ３２を観察光軸Ｌ２上に固定的に配置し、観察方法の切換え時に観察光軸Ｌ２に対する挿脱操作を不要にすることができ、挿脱操作の回数を減らすことができる。
（実施の形態８）
図２６は、本発明の実施の形態８にかかる顕微鏡の全体構成例を示す概略側面図であり、図２７は、図２６中のコンデンサレンズ部分を抽出し拡大して示す概略側面図であり、図２８は、図２７中で矢印Ｘ方向に見たＲＣスリットの平面図である。
【００８８】
図２６に示す本実施の形態８にかかる顕微鏡１Ｈの全体構成は、図１に示した顕微鏡１Ｂの全体構成とほぼ同じであるが、図２６中に示すように、コンデンサレンズ５Ｈ部分の構成が異なる。
【００８９】
ここで、図２７および図２８を参照して、コンデンサレンズ５Ｈ部分の構成について説明する。本実施の形態８では、照明光学系において、ＲＣスリット２１に代えて、図２８に示すように、１００％透過の矩形短冊状の空穴スリット４６ａのみを有し偏光板（偏光スリット）を有しないＲＣスリット４６を用い、このＲＣスリット４６を用いてＲＣ観察を行う場合には偏光板を使用しないためにＲＣ観察用ポラライザ２２を省略したものである。これにより、コンデンサレンズ５Ｈにおいては、ＤＩＣプリズム２０とＲＣスリット４６とがターレット２４に搭載されて照明光軸Ｌ１に対して挿脱可能に設けられている。
【００９０】
なお、空穴スリット４６ａのみ有するＲＣスリット４６を用いるＲＣ観察法に関しては、例えば、特開２００４−１０９９１９号公報等により公知である。概略的には、ＲＣスリット４６の矩形短冊状の空穴スリット４６ａを少しずらしてモジュレータ１８の１００％透過領域１８ｃに１０％程度はみ出させて使用し、そのはみ出し具合によって標本１のコントラストを調整する方式である。
【００９１】
この場合も、ＲＣスリット４６に関して、実施の形態１の場合と同様に回転、芯出し調整を行った後、芯出し機構を利用して空穴スリット４６ａの位置をずらすことでコントラスト調整が可能となる。
【００９２】
本実施の形態８によれば、ＲＣ観察時に偏光板（ポラライザ）を使用しないので、ＲＣ観察時にＤＩＣ観察用ポラライザ２３が照明光軸Ｌ１上に存在しても殆ど明るさのロスがない。よって、ＤＩＣ観察からＲＣ観察に切換える場合に、照明光軸Ｌ１に対してＤＩＣ観察用ポラライザ２３の挿脱操作は不要であり、挿脱操作の回数を減らすことができる。また、ＲＣ観察において対物レンズ６ｂの倍率を変更する場合でも、各対物レンズ６ｂの倍率に対応する複数のＲＣスリット４６に関して一旦調整しておけば、再調整は不要である。なお、ＤＩＣプリズム３１、偏光板３２は、ＲＣ観察時にＲＣスリット４６を透過する光量のロスを防止するため、図２６中に矢印で示すように観察光軸Ｌ２上に位置決め挿脱可能とされている。
（実施の形態９）
図２９は、本発明の実施の形態９にかかる顕微鏡の全体構成例を示す概略側面図であり、図３０は、図２９中のコンデンサレンズ部分を抽出し拡大して示す概略側面図である。
【００９３】
図２９に示す本実施の形態９にかかる顕微鏡１Ｉの全体構成は、図８に示した顕微鏡１Ｂの全体構成とほぼ同じであるが、図３０中に示すように、コンデンサレンズ５Ｉ部分の構成が異なる。また、観察系に関しては、図８の場合と同様、スライダ３３が省略され、ＤＩＣプリズム３１およびＤＩＣ観察用アナライザ３２が観察光軸Ｌ２上に固定的に配置されている。
【００９４】
ここで、図３０を参照して、コンデンサレンズ５Ｉ部分の構成について説明する。本実施の形態９では、前述の実施の形態８のコンデンサレンズ５Ｈの場合と同様、照明光学系において、ＲＣスリット２１に代えて、図２８に示したように、１００％透過の矩形短冊状の空穴スリット４６ａのみを有し偏光板（偏光スリット）を有しないＲＣスリット４６を用い、このＲＣスリット４６を用いてＲＣ観察を行う場合には偏光板を使用しないためにＲＣ観察用ポラライザ２２を省略したものである。これにより、コンデンサレンズ５Ｉにおいては、ＤＩＣプリズム２０とＲＣスリット４６とがターレット２４に搭載されて照明光軸Ｌ１に対して挿脱可能に設けられ、かつ、ポラライザとしては、ＤＩＣ観察用ポラライザ２３のみが照明光軸Ｌ１上に固定的に配置されている。また、コンデンサレンズ５Ｉにおいて、ＲＣスリット４６の空穴スリット４６ａの下面（観察光学系側）には、デポライザ４７が接着固定されている。
【００９５】
この場合も、ＲＣスリット４６に関して、実施の形態１の場合と同様に回転、芯出し調整を行った後、芯出し機構を利用して空穴スリット４６ａの位置をずらすことでコントラスト調整が可能となる。
【００９６】
本実施の形態９によれば、ＲＣ観察時に偏光板（ポラライザ）を使用しないので、ＲＣ観察時にＤＩＣ観察用ポラライザ２３が照明光軸Ｌ１上に存在しても殆ど明るさのロスがない。よって、ＤＩＣ観察からＲＣ観察に切換える場合に、照明光軸Ｌ１に対してＤＩＣ観察用ポラライザ２３の挿脱操作は不要であり、挿脱操作の回数を減らすことができる。また、ＲＣ観察において対物レンズ６ｂの倍率を変更する場合でも、各対物レンズ６ｂの倍率に対応する複数のＲＣスリット４６に関して一旦調整しておけば、再調整は不要である。
【００９７】
また、本実施の形態９では、観察光学系において、ＤＩＣプリズム３１およびＤＩＣ観察用アナライザ３２が観察光軸Ｌ２上に配置されたままとなる。この際、ＤＩＣ観察用アナライザ３２はＤＩＣ観察用ポラライザ２３の振動方向とクロスニコルの状態にあり、ＲＣスリット４６の空穴スリット４６ａを通る照明光のロスは極めて大きくなってしまうが、空穴スリット４６ａの下面にデポライザ４７が配置され、空穴スリット４６ａを通過する照明光の偏光状態が解消されるので、ＤＩＣ観察用アナライザ３２部分での光量ロスを抑制することができる。これにより、ＤＩＣプリズム３１およびＤＩＣ観察用アナライザ３２を観察光軸Ｌ２上に固定的に配置し、観察方法の切換え時に挿脱操作を不要にすることができる。よって、挿脱操作は、観察方法の切換えに必須なターレット２４の回動操作のみで済ませることができる。
（変形例１）
図３１は、実施の形態９にかかる変形例１のコンデンサレンズ部分を示す概略側面図である。変形例１のコンデンサレンズ５Ｊでは、ターレット２４においてＤＩＣプリズム２０と対をなすＤＩＣ観察用ポラライザ２３も一体に搭載して設けたものである。これにより、ＲＣスリット４６を照明光軸Ｌ１上に挿入してＲＣ観察する際には、ＤＩＣ観察用ポラライザ２３は照明光軸Ｌ１上から外れるため、デポライザ４７は不要となる。
【図面の簡単な説明】
【００９８】
【図１】本発明の実施の形態１にかかる顕微鏡の全体構成例を示す概略側面図である    。
【図２】図１中のコンデンサレンズ部分を抽出し拡大して示す概略側面図である。
【図３】ＤＩＣ観察時に光軸上に配置される素子例を示す斜視図である。
【図４】ＲＣ観察時に光軸上に配置される素子例を示す斜視図である。
【図５】図４中のＲＣスリットを矢印Ｘ方向から見た平面図である。
【図６】実施の形態１にかかる変形例１の照明系の一部の構成例を示す概略側面図である。
【図７】実施の形態１にかかる変形例２のコンデンサレンズの構成例を示す概略側面図である。
【図８】本発明の実施の形態２にかかる顕微鏡の全体構成例を示す概略側面図である。
【図９】図８中のコンデンサレンズ部分を抽出し拡大して示す概略側面図である。
【図１０】ＲＣ観察時に光軸上に配置される素子例を示す斜視図である。
【図１１】本発明の実施の形態３にかかる顕微鏡の全体構成例を示す概略側面図である。
【図１２】図１１中のコンデンサレンズ部分およびＤＩＣ観察用アナライザ部分を抽出し拡大して示す概略側面図である。
【図１３】ＲＣ観察時に光軸上に配置される素子の一部を平面状に展開して示す模式図である。
【図１４】本発明の実施の形態４にかかる顕微鏡の全体構成例を示す概略側面図である。
【図１５】図１４中のコンデンサレンズ部分およびＤＩＣ観察用アナライザ部分を抽出し拡大して示す概略側面図である。
【図１６】ＲＣ観察時に光軸上に配置される素子の一部を平面状に展開して示す模式図である。
【図１７】本発明の実施の形態５にかかる顕微鏡の全体構成例を示す概略側面図である。
【図１８】図１７中のコンデンサレンズ部分およびＤＩＣ観察用アナライザ部分を抽出し拡大して示す概略側面図である。
【図１９】ＲＣ観察時に光軸上に配置される素子の一部を平面状に展開して示す模式図である。
【図２０】本発明の実施の形態６にかかる顕微鏡の全体構成例を示す概略側面図である。
【図２１】図２０中のコンデンサレンズ部分およびＤＩＣ観察用アナライザ部分を抽出し拡大して示す概略側面図である。
【図２２】ＲＣ観察時に光軸上に配置される素子の一部を平面状に展開して示す模式図である。
【図２３】本発明の実施の形態７にかかる顕微鏡の全体構成例を示す概略側面図である。
【図２４】図２３中のコンデンサレンズ部分およびＤＩＣ観察用アナライザ部分を抽出し拡大して示す概略側面図である。
【図２５】ＲＣ観察時に光軸上に配置される素子の一部を平面状に展開して示す模式図である。
【図２６】本発明の実施の形態８にかかる顕微鏡の全体構成例を示す概略側面図である。
【図２７】図２６中のコンデンサレンズ部分およびＤＩＣ観察用アナライザ部分を抽出し拡大して示す概略側面図である。
【図２８】図２７中で矢印Ｘ方向に見たＲＣスリットの平面図である。
【図２９】本発明の実施の形態９にかかる顕微鏡の全体構成例を示す概略側面図である。
【図３０】図２６中のコンデンサレンズ部分およびＤＩＣ観察用アナライザ部分を抽出し拡大して示す概略側面図である。
【図３１】実施の形態９にかかる変形例１のコンデンサレンズ部分を示す概略側面図である。
【図３２】従来の顕微鏡の全体構成例を示す概略側面図である。
【図３３】図３２中のコンデンサレンズ部分を抽出し拡大して示す概略側面図である。
【図３４】図３３中のＲＣスリット部分を矢印Ｘ方向から見た平面図である。
【図３５】図３３中のスライダ部分の平面図である。
【図３６】図３２中に示すモジュレータの平面図である。
【図３７】ＲＣスリットと位置関係を対応付けて示すモジュレータの平面図である。
【図３８】従来のコンデンサレンズ部分を拡大して示す概略側面図である。
【符号の説明】
【００９９】
５Ａ〜５Ｊ  コンデンサレンズ
２１  ＲＣスリット
２１ａ  空穴スリット
２１Ｂ  偏光スリット
２２  ＲＣ観察用ポラライザ
２３  ＤＩＣ観察用ポラライザ
２４  ターレット
２６  スライダ
３２  ＤＩＣ観察用アナライザ
３４  共用ポラライザ
４０ａ、４０ｂ  クリック機構
４３  モータ
４６  ＲＣスリット
４６ａ  空穴スリット
５０  コンデンサレンズ
５１  偏光観察用ポラライザ
Ｌ１  照明光軸
Ｌ２  観察光軸
【図１】
2012208523.tif 000003
【図２】
2012208523.tif 000004
【図３】
2012208523.tif 000005
【図４】
2012208523.tif 000006
【図５】
2012208523.tif 000007
【図６】
2012208523.tif 000008
【図７】
2012208523.tif 000009
【図８】
2012208523.tif 000010
【図９】
2012208523.tif 000011
【図１０】
2012208523.tif 000012
【図１１】
2012208523.tif 000013
【図１２】
2012208523.tif 000014
【図１３】
2012208523.tif 000015
【図１４】
2012208523.tif 000016
【図１５】
2012208523.tif 000017
【図１６】
2012208523.tif 000018
【図１７】
2012208523.tif 000019
【図１８】
2012208523.tif 000020
【図１９】
2012208523.tif 000021
【図２０】
2012208523.tif 000022
【図２１】
2012208523.tif 000023
【図２２】
2012208523.tif 000024
【図２３】
2012208523.tif 000025
【図２４】
2012208523.tif 000026
【図２５】
2012208523.tif 000027
【図２６】
2012208523.tif 000028
【図２７】
2012208523.tif 000029
【図２８】
2012208523.tif 000030
【図２９】
2012208523.tif 000031
【図３０】
2012208523.tif 000032
【図３１】
2012208523.tif 000033
【図３２】
2012208523.tif 000034
【図３３】
2012208523.tif 000035
【図３４】
2012208523.tif 000036
【図３５】
2012208523.tif 000037
【図３６】
2012208523.tif 000038
【図３７】
2012208523.tif 000039
【図３８】
2012208523.tif 000040